(57)【特許請求の範囲】
【請求項１】
固体発光素子を有する複数の光源ユニットを点灯する点灯装置であって、
外部電源から供給される電力を電力変換して前記光源ユニットに各別に給電する複数の電源ユニットと、前記光源ユニットに供給される電力を調整するように前記電源ユニットを制御する制御ユニットとを備え、
複数の前記電源ユニットは、スイッチング電源回路と、前記スイッチング電源回路の動作を制御する制御回路と、前記制御回路の動作用の電源を生成する制御電源回路とをそれぞれ有し、
前記制御ユニットは、前記スイッチング電源回路の出力レベルを指示する制御信号を生成し、生成した前記制御信号を、複数の前記電源ユニットの前記制御回路に共通に与える制御部を有し、何れか１つの前記電源ユニットの前記制御電源回路で生成される電源で前記制御部を動作させるように構成され、
複数の前記電源ユニットの前記制御回路は、前記スイッチング電源回路の動作を制御して、前記スイッチング電源回路の出力電力を、前記制御信号で指示される出力レベルに対応した値に一致させるように構成されることを特徴とする点灯装置。
【請求項２】
前記制御部は、前記外部電源の投入時において、所定の待機時間が経過するまでの間は、ゼロまたはゼロに近い値の前記出力レベルを指示する前記制御信号を生成して複数の前記電源ユニットに共通に与え、且つ前記待機時間の経過後に、ゼロではない所定の前記出力レベルを指示する前記制御信号を生成して複数の前記電源ユニットに共通に与えるように構成され、
前記待機時間は、複数の前記電源ユニットの起動に要する時間の最大値以上の時間に設定されることを特徴とする請求項１記載の点灯装置。
【請求項３】
前記制御回路は、前記外部電源の電力供給が停止したことを検知すると、前記制御電源回路から前記制御ユニットの前記制御部への電源供給を停止するように構成されることを特徴とする請求項１又は２記載の点灯装置。
【請求項４】
複数の前記電源ユニットは、前記光源ユニットとの距離がそれぞれ異なるように構成され、
前記制御部は、前記距離が最も大きい前記電源ユニットの前記制御電源回路から動作用の電源が供給されるように構成されることを特徴とする請求項１〜３の何れか１項に記載の点灯装置。
【請求項５】
前記制御電源回路は、スイッチング電源を構成する半導体スイッチング素子を有し、
前記電源ユニットは、前記スイッチング電源回路で発生する熱を、前記半導体スイッチング素子に伝導され難くする断熱部を備えることを特徴とする請求項４記載の点灯装置。
【請求項６】
請求項１〜５の何れかの点灯装置と、前記点灯装置によって点灯される複数の前記光源ユニットとを有することを特徴とする照明器具。
【請求項７】
前記複数の光源ユニット並びに前記点灯装置を変位可能に支持する支持部材を有することを特徴とする請求項６記載の照明器具。
【請求項８】
複数の前記光源ユニットは、前記固体発光素子として発光ダイオード又は有機エレクトロルミネセンス素子を有することを特徴とする請求項６又は７記載の照明器具。
【発明の詳細な説明】
【技術分野】
【０００１】
本発明は、点灯装置及び照明器具に関し、特に、発光ダイオードなどの固体発光素子を点灯する点灯装置、及び当該点灯装置を備える照明器具に関する。
【背景技術】
【０００２】
従来、光源である固体発光素子と、固体発光素子を点灯する点灯装置とを備えた照明器具が種種提供されている。また、このような点灯装置は、出力電圧・出力電流を増減することで固体発光素子の出力光を調整（調光）するように構成される場合もある（例えば、特許文献１参照）。
【先行技術文献】
【特許文献】
【０００３】
【特許文献１】特許第４３７０９０１号公報
【発明の概要】
【発明が解決しようとする課題】
【０００４】
ところで、体育館やホールなどの天井に設置される高天井用の照明器具や、投光器と呼ばれる照明器具は、家庭やオフィスで使用される照明器具と比較して照射距離（光源から床面などの照射面までの距離）が遠い。このため、光出力の大きい光源と、光源を点灯する点灯装置と、点灯装置を制御（例えば、調光制御）する制御装置とをそれぞれ複数備える必要がある。
【０００５】
しかしながら、複数の制御装置がそれぞれ個別に点灯装置を制御する場合、例えば、全ての光源を消灯から点灯に切り換える際、個々の制御装置がそれぞれ点灯装置を制御するタイミングにずれの生じる虞がある。
【０００６】
本発明は、上記課題に鑑みてなされたものであり、複数の光源ユニットの制御タイミングのばらつきを抑制することを目的とする。
【課題を解決するための手段】
【０００７】
本発明の点灯装置は、固体発光素子を有する複数の光源ユニットを点灯する点灯装置であって、外部電源から供給される電力を電力変換して前記光源ユニットに各別に給電する複数の電源ユニットと、前記光源ユニットに供給される電力を調整するように前記電源ユニットを制御する制御ユニットとを備え、複数の前記電源ユニットは、スイッチング電源回路と、前記スイッチング電源回路の動作を制御する制御回路と、前記制御回路の動作用の電源を生成する制御電源回路とをそれぞれ有し、前記制御ユニットは、前記スイッチング電源回路の出力レベルを指示する制御信号を生成し、生成した前記制御信号を、複数の前記電源ユニットの前記制御回路に共通に与える制御部を有し、何れか１つの前記電源ユニットの前記制御電源回路で生成される電源で前記制御部を動作させるように構成され、複数の前記電源ユニットの前記制御回路は、前記スイッチング電源回路の動作を制御して、前記スイッチング電源回路の出力電力を、前記制御信号で指示される出力レベルに対応した値に一致させるように構成されることを特徴とする。
【０００８】
本発明の照明器具は、前記点灯装置と、前記点灯装置によって点灯される複数の前記光源ユニットとを有することを特徴とする。
【発明の効果】
【０００９】
本発明の点灯装置及び照明器具は、複数の光源ユニットの制御タイミングのばらつきを抑制することができるという効果がある。
【図面の簡単な説明】
【００１０】
【図１】本発明に係る点灯装置の実施形態を示すブロック図である。
【図２】同上の点灯装置におけるデューティ比と出力レベルの関係を説明するための説明図である。
【図３】同上の点灯装置における電源ユニットの回路図である。
【図４】同上の点灯装置における制御回路の一部省略した回路図である。
【図５】同上の点灯装置の動作説明用の波形図である。
【図６】同上の点灯装置の動作説明用の波形図である。
【図７】図７Ａは同上の点灯装置における第１電源ユニットの動作説明用のタイムチャート、図７Ｂは同上の点灯装置における第２電源ユニットの動作説明用のタイムチャート、図７Ｃは同上の点灯装置における制御ユニットの動作説明用のタイムチャートである。
【図８】本発明に係る照明器具の実施形態を示す正面図である。
【図９】同上の照明器具の後方から見た斜視図である。
【図１０】同上の点灯装置を示し、図１０Ａは一方の蓋部を取り外した状態の側面図、図１０Ｂは図１０ＡのＸ−Ｘ線断面矢視図である。
【図１１】同上の点灯装置の一部省略した分解斜視図である。
【図１２】同上の点灯装置の一部省略した斜視図である。
【発明を実施するための形態】
【００１１】
以下、本発明に係る点灯装置及び照明器具の実施形態について、図面を参照して詳細に説明する。
【００１２】
本実施形態の点灯装置８は、図１に示すように、複数（図示例では２つ）の電源ユニット４と、１つの制御ユニット６とを備える。ただし、電源ユニット４の個数は２つに限定されず、３つ以上であっても構わない。
【００１３】
各電源ユニット４は、外部電源（例えば、商用の交流電源ＡＣ）から供給される交流電圧・交流電流を直流電圧・直流電流に変換して光源ユニット１に供給するように構成される。光源ユニット１は、電源ユニット４から供給される直流電圧・直流電流により発光（点灯）するように構成される。また、各電源ユニット４は、光源ユニット１に供給する直流電圧・直流電流を調整することにより、光源ユニット１の光出力を増減（調光）するように構成される。ただし、各電源ユニット４の詳細な回路構成については後述する。なお、１つの電源ユニット４に対して、複数の光源ユニット１が電気的に並列接続されても構わない。
【００１４】
制御ユニット６は、制御部６０、調光信号入力部６１、制御信号出力部６２、電源部６３を備えることが好ましい。電源部６３は、２つの電源ユニット４のうちの１つの電源ユニット（以下、必要に応じて第１電源ユニット４Ａと呼ぶ。）から供給される制御電源（後述する第１制御電源電圧Ｖcc）を降圧するように構成されることが好ましい。電源部６３から出力される制御電源電圧（第１制御電源電圧Ｖccよりも低い直流電圧）は、制御部６０、調光信号入力部６１、調光信号出力部６２の各部に供給される。
【００１５】
調光信号入力部６１は、外部のコントローラ５から調光信号線を介して入力される調光信号を信号変換して制御部６０に渡すように構成されることが好ましい。コントローラ５は、調光レベルをオンデューティ比に対応させたパルス幅変調（ＰＷＭ）信号を生成し、当該ＰＷＭ信号を調光信号として制御ユニット６に出力することが好ましい。なお、コントローラ５は、人の操作、タイムスケジュールあるいは種々のセンサ出力などに応じて、調光信号を生成して出力することが好ましい。調光信号入力部６１は、入力される調光信号を、オンデューティ比に比例した直流電圧信号に変換し、当該直流電圧信号を制御部６０に渡すように構成されることが好ましい。
【００１６】
制御部６０は、例えば、マイクロコントローラで構成されることが好ましい。制御部６０は、光源ユニット１の点灯時に調光レベルを徐々に高くする機能（フェードイン機能）や、初期照度補正機能などを実現するように構成されることが好ましい。初期照度補正機能とは、光源ユニット１の使用開始から寿命末期までの間、光源ユニット１の光出力をほぼ一定（例えば、定格の８５％）に保つように、光源ユニット１の累積点灯時間に対応して光出力を調整する機能である。すなわち、制御部６０は、マイクロコントローラに内蔵されているタイマで光源ユニット１の累積点灯時間を計時して内蔵のメモリに記憶し、且つ当該メモリに予め記憶されている初期照度補正特性を参照して、累積点灯時間に対応した調光レベルを決定する。ここで、初期照度補正特性は、累積点灯時間が増加するにしたがって、調光レベル（定格の光出力を１００％としたときの割合）を徐々に増加させるような特性である。
【００１７】
さらに、制御部６０は、調光レベル（出力レベル）に対応するデューティ比のＰＷＭ信号を生成し、制御信号出力部６２から当該ＰＷＭ信号（制御信号）を２つの電源ユニット４に出力させる。制御信号出力部６２は、制御部６０から出力されるＰＷＭ信号を増幅するように構成されることが好ましい。
【００１８】
ここで、調光レベル、すなわち、各電源ユニット４が光源ユニット１に供給する直流電力の出力レベルと、ＰＷＭ信号のデューティ比との関係を図２に示す。図２に示すように、デューティ比が０〜５［％］のときに調光レベル（出力レベル）を１００［％］とし、且つデューティ比が９８［％］以上（ただし、１００［％］を除く。）のときに調光レベル（出力レベル）を５［％］（下限値）とする。そして、デューティ比が５〜９８［％］のとき、調光レベル（出力レベル）は、デューティ比の増加に対して一定の割合で減少する。したがって、電源ユニット４の信号変換回路４９から出力される電圧信号の信号レベルは、調光レベル（出力レベル）の下限値（５［％］）で最大となり、且つ調光レベル（出力レベル）の定格値で最小となる。ただし、図２に示した関係は一例であって、調光レベル（出力レベル）とデューティ比との関係は、図２に示した関係に限定されない。
【００１９】
次に、電源ユニット４の回路構成について、図３及び図４を参照して詳細に説明する。ただし、２つの電源ユニット４の回路構成は共通である。
【００２０】
本実施形態の電源ユニット４は、図３に示すように、バックコンバータ４０、制御回路４１、第１制御電源回路４２、第２制御電源回路４３を備えることが好ましい。さらに、本実施形態の電源ユニット４は、ＰＦＣ回路４４、フィルタ回路４５、全波整流器４６、スピードアップ回路４７、ＰＦＣ駆動部４８、信号変換回路４９などを備えることが好ましい。
【００２１】
フィルタ回路４５は、交流電源ＡＣから供給される交流電圧・交流電流に重畳する高調波ノイズ、及びＰＦＣ回路４４で発生する高調波ノイズ、を除去するように構成される。全波整流器４６はダイオードブリッジからなり、交流電源ＡＣから供給される交流電圧・交流電流を全波整流する。ＰＦＣ（Power Factor Correction：力率改善）回路４４は、従来周知の昇圧チョッパ回路であって、全波整流器４６で全波整流された脈流電圧を所望の直流電圧に変換することで力率を改善するように構成される。このＰＦＣ回路４４は、インダクタＬ１とダイオードＤ１と平滑コンデンサＣ１が全波整流器４６の脈流出力端間に電気的に直列接続され、且つ２つのスイッチング素子Ｑ１１、Ｑ１２の並列回路がダイオードＤ１と平滑コンデンサＣ１に電気的に並列接続される。なお、２つのスイッチング素子Ｑ１１、Ｑ１２は、電気的な特性が共通である半導体スイッチング素子（例えば、ＮチャネルのパワーＭＯＳＦＥＴ）である。つまり、このＰＦＣ回路４４は、２つのスイッチング素子Ｑ１１、Ｑ１２の並列回路を備えることにより、個々のスイッチング素子Ｑ１１、Ｑ１２に流す電流を減らして温度上昇を抑えるように構成されている。ただし、このＰＦＣ回路４４は、２つのスイッチング素子Ｑ１１、Ｑ１２が並列接続されている点を除けば、従来周知の回路構成を有しているので、詳細な動作の説明は省略する。以下の説明では、ＰＦＣ回路４４の出力電圧（平滑コンデンサＣ１の両端電圧）を、直流入力電圧Ｖｄｃと呼ぶ。なお、電源ユニット４は、蓄電池や太陽電池から供給される直流電圧・直流電流をバックコンバータ４０に入力するように構成されても構わない。
【００２２】
バックコンバータ４０は、降圧チョッパ回路とも呼ばれるスイッチング電源回路であり、ＰＦＣ回路４４から供給される数百ボルトの直流入力電圧Ｖｄｃを、光源ユニット１に必要とされる数十ボルトの直流電圧（以下、出力電圧Ｖ１と呼ぶ。）に降圧するように構成される。バックコンバータ４０は、２つのスイッチング素子Ｑ２１、Ｑ２２、インダクタＴ１、ダイオードＤ４、平滑コンデンサＣ３などで構成されることが好ましい。２つのスイッチング素子Ｑ２１、Ｑ２２は、ＰＦＣ回路４４の高電位側の出力端と、光源ユニット１の正極との間に、インダクタＴ１を介して電気的に並列接続される。平滑コンデンサＣ３は電解コンデンサからなり、光源ユニット１と電気的に並列接続される。ダイオードＤ４は、スイッチング素子Ｑ２１、Ｑ２２の並列回路と、インダクタＴ１との接続点にカソードが電気的に接続され、ＰＦＣ回路４４の低電位側の出力端（グランド）にアノードが電気的に接続される。なお、２つのスイッチング素子Ｑ１１、Ｑ１２は、電気的な特性が共通である半導体スイッチング素子（例えば、ＮチャネルのパワーＭＯＳＦＥＴ）である。また、ダイオードＤ４のアノードと平滑コンデンサＣ３の低電位側の端子との間に、検出抵抗Ｒ８が電気的に接続されることが好ましい。ただし、このバックコンバータ４０は、２つのスイッチング素子Ｑ２１、Ｑ２２が並列接続されている点を除けば、従来周知の回路構成を有しているので、詳細な動作の説明は省略する。
【００２３】
第１制御電源回路４２は、数百ボルトの直流入力電圧Ｖｄｃを、十数ボルト（例えば、１５ボルト）の直流電圧（以下、第１制御電源電圧Ｖccと呼ぶ。）に変換するように構成される。第１制御電源回路４２は、バックコンバータやフライバックコンバータなどのスイッチング電源回路で構成されることが好ましい。
【００２４】
ここで、本実施形態の電源ユニット４は、従来周知であるブートストラップ回路を備えている。ブートストラップ回路は、ブートストラップダイオードＤ２と、ブートストラップコンデンサＣ２と、複数の抵抗Ｒ２〜Ｒ６の直列回路（以下、抵抗直列回路と呼ぶ。）とで構成される。ブートストラップダイオードＤ２は、アノードに第１制御電源電圧Ｖccが印加され、カソードにブートストラップコンデンサＣ２の一端が電気的に接続される。ブートストラップコンデンサＣ２の他端は、抵抗直列回路を介してグランドと電気的に接続される。さらに、抵抗Ｒ３〜Ｒ６は、バックコンバータ４０のダイオードＤ４と電気的に並列接続される。このブートストラップ回路は、バックコンバータ４０のスイッチング素子Ｑ２１、Ｑ２２のオフ期間に、第１制御電源電圧ＶccによってブートストラップコンデンサＣ２を充電するように構成される。そして、ブートストラップコンデンサＣ２が充電されることにより、ブートストラップコンデンサＣ２の高電位側の端子から、スイッチング素子Ｑ２１、Ｑ２２の駆動電圧ＨＶccを得ることができる。
【００２５】
第２制御電源回路４３は、抵抗Ｒ７と、ダイオードＤ３と、ツェナーダイオードＺＤ１とで構成されることが好ましい。抵抗Ｒ７の一端がＰＦＣ回路４４の高電位側の出力端と電気的に接続され、抵抗Ｒ７の他端と、ツェナーダイオードＺＤ１のカソード及びダイオードＤ３のアノードとが電気的に接続される。ツェナーダイオードＺＤ１のアノードが、バックコンバータ４０のダイオードＤ４のカソードと電気的に接続される。そして、ダイオードＤ３のカソードが、ブートストラップコンデンサＣ２の高電位側の端子と電気的に接続される。ただし、第２制御電源回路４３の動作については後述する。
【００２６】
制御回路４１は、ＰＦＣ回路４４を制御する第１制御動作と、バックコンバータ４０を制御する第２制御動作とを実行するように構成される。なお、このような制御回路４１は、例えば、第１制御動作を実行する回路と、第２制御動作を実行する回路とを有する集積回路で構成されることが好ましい。
【００２７】
第１制御動作は、直流入力電圧Ｖｄｃを所望の目標値（例えば、４００ボルト程度の電圧）に維持するように、制御回路４１を動作させることが好ましい。すなわち、制御回路４１は、直流入力電圧Ｖｄｃを抵抗分圧回路Ｒ１、Ｒ２によって計測し、前記計測値に基づき、直流入力電圧Ｖｄｃを目標値に一致させるように、ＰＷＭ信号のオンデューティ比を調整することが好ましい。このＰＷＭ信号は、ＰＦＣ駆動部４８に出力される。ＰＦＣ駆動部４８は、ＰＷＭ信号に応じて、２つのスイッチング素子Ｑ１１、Ｑ１２を同時にオン・オフ駆動することが好ましい。
【００２８】
第２制御動作は、光源ユニット１に流す電流（負荷電流）Ｉ１を目標値に一致させるように、制御回路４１を動作させることが好ましい。すなわち、制御回路４１は、検出抵抗Ｒ８の両端電圧から負荷電流Ｉ１を計測し、前記計測値に基づき、負荷電流Ｉ１を目標値に一致させるように、ＰＷＭ信号のオンデューティ比を調整することが好ましい。なお、制御回路４１は、制御ユニット６から与えられる制御信号（調光信号）に応じて、負荷電流Ｉ１の目標値を調整することにより、光源ユニット１を調光したり、消灯させても構わない。
【００２９】
ここで、第２制御動作を実行する回路構成の一部（駆動回路）を図４に示す。制御回路４１（駆動回路）は、２つのスイッチング素子Ｑ３１、Ｑ３２の直列回路と、フリップフロップ回路ＦＦと、抵抗Ｒ１６と、否定回路（インバータ）ＮＯＴとを有することが好ましい。２つのスイッチング素子Ｑ３１、Ｑ３２は、何れもＮチャネル型のＭＯＳＦＥＴからなり、互いの電気的な特性が共通であることが好ましい。一方のスイッチング素子Ｑ３１は、ドレインに駆動電圧ＨＶccが印加され、ソースが他方のスイッチング素子Ｑ３２のドレインと電気的に接続される。他方のスイッチング素子Ｑ３２は、ソースがハイレベルのグランド端子ＨＧＮＤに電気的に接続される。フリップフロップ回路ＦＦは、出力端子とハイレベルのグランド端子ＨＧＮＤの間に抵抗Ｒ１６が挿入され、出力端子と他方のスイッチング素子Ｑ３２のゲートの間に否定回路ＮＯＴが挿入される。また、一方のスイッチング素子Ｑ３１のゲートがフリップフロップ回路ＦＦの出力端子と電気的に接続される。
【００３０】
フリップフロップ回路ＦＦの出力がハイレベルになると、ハイサイドのスイッチング素子Ｑ３１がターンオンするとともにローサイドのスイッチング素子Ｑ３２がターンオフする。その結果、制御回路４１の出力端子Ｈｏから、駆動電圧ＨＶccにほぼ等しい電圧の駆動信号が出力される。一方、フリップフロップ回路ＦＦの出力がローレベルになると、ハイサイドのスイッチング素子Ｑ３１がターンオフするとともにローサイドのスイッチング素子Ｑ３２がターンオンする。その結果、制御回路４１の出力端子Ｈｏがハイレベルのグランド端子ＨＧＮＤとほぼ同電位となり、制御回路４１は出力端子Ｈｏから駆動信号の出力を停止する。
【００３１】
ここで、制御回路４１の駆動信号は、それぞれスピードアップ回路４７を介して、スイッチング素子Ｑ２１、Ｑ２２のゲートに与えられる。各スピードアップ回路４７は、ＰＮＰ型のバイポーラトランジスタＴｒ１、ダイオードＤ５、抵抗Ｒ１７〜Ｒ１９などで構成されることが好ましい（図３参照）。抵抗Ｒ１７は、各スイッチング素子Ｑ２１、Ｑ２２のゲートとソースの間に電気的に接続される。バイポーラトランジスタＴｒ１のエミッタがスイッチング素子Ｑ２１、Ｑ２２のゲートと電気的に接続され、バイポーラトランジスタＴｒ１のコレクタが抵抗Ｒ１８を介してスイッチング素子Ｑ２１、Ｑ２２のソースと電気的に接続される。また、バイポーラトランジスタＴｒ１のベースがダイオードＤ５のアノード及び抵抗Ｒ１９の一端と電気的に接続され、各スピードアップ回路４７の抵抗Ｒ１９の他端同士が制御回路４１の出力端子Ｈｏと電気的に接続される。
【００３２】
各スピードアップ回路４７は、出力端子Ｈｏからハイレベルの駆動信号が入力されると、バイポーラトランジスタＴｒ１がオフとなり、抵抗Ｒ１７を介して、スイッチング素子Ｑ２１、Ｑ２２のゲート・ソース間に駆動電圧ＨＶccを印加してターンオンさせる。また、各スピードアップ回路４７は、出力端子Ｈｏからの駆動信号が停止すると、バイポーラトランジスタＴｒ１がオンとなり、スイッチング素子Ｑ２１、Ｑ２２のゲートに蓄積されている電荷を放出させてターンオフさせる。つまり、各スピードアップ回路４７は、パワーＭＯＳＦＥＴからなるスイッチング素子Ｑ２１、Ｑ２２のターンオンを高速化するように構成されている。
【００３３】
また、制御回路４１は、第２制御動作において、インダクタＴ１と磁気結合された検出巻線Ｔ２に誘起される電圧（検出電圧）に基づいて、出力端子Ｈｏからハイレベルの駆動信号を出力するタイミングを決定している。例えば、制御回路４１は、前記検出電圧に基づいてインダクタＴ１に流れる電流（インダクタ電流）のゼロクロスを検出し、ゼロクロスに同期して駆動信号を出力するように構成されることが好ましい。
【００３４】
信号変換回路４９は、制御ユニット６から与えられる制御信号（ＰＷＭ信号）を直流の電圧信号に変換して制御回路４１に出力するように構成されることが好ましい。なお、信号変換回路４９から出力される電圧信号の信号レベル（直流電圧レベル）は、制御信号で指示される出力レベル（調光レベル）に対応している。制御回路４１は、前記目標値を、信号変換回路４９から出力される電圧信号の信号レベル（調光レベル）に対応した値に調整することが好ましい。
【００３５】
ところで、本実施形態の電源ユニット４は、タイマ回路を備えることが好ましい。タイマ回路は、図３に示すように、抵抗Ｒ１３〜Ｒ１５とコンデンサＣ４のＣＲ積分回路で構成されることが好ましい。このタイマ回路は、抵抗Ｒ１３〜Ｒ１５の直列回路が平滑コンデンサＣ３及び検出抵抗Ｒ８と電気的に並列接続され、且つローサイドの抵抗Ｒ１５とコンデンサＣ４が電気的に並列接続されて構成される。コンデンサＣ４の両端電圧が、交流電源ＡＣの投入時点から徐々に上昇するので、制御回路４１は、コンデンサＣ４の両端電圧（以下、タイマ信号と呼ぶ。）に基づいて、前記投入時点からの経過時間を知ることができる。なお、タイマ回路には、抵抗Ｒ９〜Ｒ１２の直列回路が電気的に並列接続されることが好ましい。
【００３６】
次に、図５及び図６の波形図を参照して、本実施形態の電源ユニット４の基本的な動作を説明する。なお、図５及び図６は、直流入力電圧Ｖｄｃ、出力電圧Ｖ１、駆動電圧ＨＶcc、負荷電流Ｉ１の波形図をそれぞれ示している。
【００３７】
まず、図５に示すように、時刻ｔ＝ｔ１に交流電源ＡＣの電源が投入されると、第１制御電源回路４２が起動し、第１制御電源電圧Ｖccを生成する。第１制御電源電圧Ｖccが定格値（例えば、１５ボルト）に達すると（時刻ｔ＝ｔ２）、制御回路４１が起動して第１制御動作を実行する。なお、制御回路４１は、タイマ信号に基づき、時刻ｔ＝ｔ１からの経過時間を監視することが好ましい。
【００３８】
制御回路４１が第１制御動作を実行すると、ＰＦＣ回路４４が動作して直流入力電圧Ｖｄｃが定格値に達する（時刻ｔ＝ｔ３）。また、第１制御電源電圧Ｖccが定格値に達すれば、ブートストラップ回路が正常に動作し、所定の駆動電圧ＨＶccが制御回路４１に与えられる。
【００３９】
制御回路４１は、タイマ信号に基づき、直流入力電圧Ｖｄｃが定格値に達してから所定時間（以下、準備期間と呼ぶ。）が経過したと判断すれば（時刻ｔ＝ｔ４）、第２制御動作を開始する。制御回路４１が第２制御動作を開始すると、バックコンバータ４０の出力電圧Ｖ１が徐々に上昇し、光源ユニット１の点灯開始電圧を超えた時点（時刻ｔ＝ｔ５）から負荷電流Ｉ１が流れ始める。そして、制御回路４１は、負荷電流Ｉ１を一定値とするようにバックコンバータ４０を制御（フィードバック制御）する。故に、本実施形態の電源ユニット４は、光源ユニット１を所望の明るさ（光出力）で点灯させることができる。
【００４０】
ここで、図５に示すように、時刻ｔ＝ｔ６に交流電源ＡＣに瞬時停電が発生したと仮定する。交流電源ＡＣに瞬時停電が発生すると、ＰＦＣ回路４４のスイッチング素子Ｑ１１、Ｑ１２はオフとなり、直流入力電圧Ｖｄｃは、平滑コンデンサＣ１に蓄積された電荷が放電されている間、定格値よりも僅かに低い電圧に維持される（図５参照）。よって、第１制御電源回路４２は動作を継続し、第１制御電源電圧Ｖccを供給し続けることができる。ただし、直流入力電圧Ｖｄｃが定格値を下回ると、バックコンバータ４０の出力電圧Ｖ１が点灯開始電圧以下に低下するため、光源ユニット１が消灯し、負荷電流Ｉ１が流れなくなる。そして、ＰＦＣ回路４４が再起動すると、直流入力電圧Ｖｄｃが定格値に戻る（時刻ｔ＝ｔ７）。
【００４１】
しかしながら、瞬時停電が発生した後の再起動時において、バックコンバータ４０の平滑コンデンサＣ３に充電電荷が残っている状態では、ハイレベルのグランド端子ＨＧＮＤの電位が第１制御電源電圧Ｖccよりも高い状態に維持されてしまう。その結果、第１制御電源回路４２からブートストラップコンデンサＣ２に充電電流が流れず、駆動電圧ＨＶccが必要なレベルにまで上昇しないため、バックコンバータ４０のスイッチング素子Ｑ２１、Ｑ２２がターンオンしなくなる（図６参照）。
【００４２】
そこで、本実施形態の電源ユニット４では、ブートストラップ回路が正常に動作し得ない（駆動電圧ＨＶccが必要なレベルにまで上昇しない）ときにのみ、第２制御電源回路４３が駆動電圧ＨＶccを生成するように構成されている。すなわち、時刻ｔ＝ｔ６〜ｔ７の期間において、直流入力電圧Ｖｄｃ（≒交流電源ＡＣの電源電圧のピーク値）がバックコンバータ４０の出力電圧Ｖ１を上回るため、第２制御電源回路４３が動作してブートストラップコンデンサＣ２を充電する。その結果、本実施形態の電源ユニット４は、図５に示すように、ＰＦＣ回路４４が停止している間（時刻ｔ＝ｔ６〜ｔ７）においても、駆動電圧ＨＶccを、スイッチング素子Ｑ２１、Ｑ２２の駆動に必要なレベルに維持することができる。ただし、第２制御電源回路４３がブートストラップコンデンサＣ２及び抵抗直列回路に充電電流を流すことにより、第２制御電源回路４３が存在しない場合と比較して、直流入力電圧Ｖｄｃの低下速度が増す。故に、ＰＦＣ回路４４が再起動して直流入力電圧Ｖｄｃが点灯開始電圧を超える前に、直流入力電圧Ｖｄｃがバックコンバータ４０の出力電圧Ｖ１を下回ってしまうと、バックコンバータ４０を起動できない可能性がある。そのため、ＰＦＣ回路４４の動作開始時点からバックコンバータ４０の動作開始時点までの時間（時刻ｔ＝ｔ７〜ｔ８）内に、第２制御電源回路４３が駆動電圧ＨＶccを必要な電圧まで上昇させなければならない。本実施形態の電源ユニット４では、抵抗直列回路の合成抵抗値とブートストラップコンデンサＣ２の静電容量とで決まる時定数を適当に設定することにより、第２制御電源回路４３が駆動電圧ＨＶccを必要な電圧まで上昇させることができるようにしている。
【００４３】
電源ユニット４の制御回路４１は、信号変換回路４９から出力される電圧信号の信号レベルが最大値のときにバックコンバータ４０の出力を下限値とし、前記信号レベルが最小値のときにバックコンバータ４０の出力を定格値とすることが好ましい。また、制御回路４１は、原則として、前記信号レベルがゼロのときはバックコンバータ４０の出力を定格値とすることが好ましい。ただし、交流電源ＡＣが投入された直後は、ＰＦＣ回路４４の出力電圧が定格電圧に達していないため、バックコンバータ４０の出力電圧が安定しない。そのため、制御回路４１は、交流電源ＡＣの投入時から前記準備期間が経過するまでの間、制御信号を受け付けず且つバックコンバータ４０を停止することが好ましい。つまり、準備期間中は電源ユニット４からの給電が行われないため、光源ユニット１が消灯状態に維持される。そして、準備期間が経過してＰＦＣ回路４４の出力電圧が安定すれば、制御回路４１は、バックコンバータ４０を動作させて制御信号に対応した出力レベルの直流電力を光源ユニット１に供給させる。その結果、光源ユニット１は、制御信号で指示される調光レベルで点灯する。
【００４４】
上述のように本実施形態の点灯装置８は、１つの制御ユニット６から２つの電源ユニット４に対して、制御信号を共通に出力するように構成されている。したがって、複数の制御ユニットが個別に電源ユニットに制御信号を出力する場合と比較して、本実施形態の点灯装置８は、複数の電源ユニット４が各光源ユニット１を点滅及び調光するタイミング（制御タイミング）のばらつきを抑制することができる。また、本実施形態の点灯装置８は、複数の電源ユニット４のうちの１つの電源ユニット４（第１電源ユニット４Ａ）から制御ユニット６へ電源（第１制御電源電圧Ｖcc）を供給するように構成されている。そのため、制御ユニット６が交流電源ＡＣから動作電源を生成する場合と比較して、制御ユニット６の回路構成の簡素化を図ることができる。
【００４５】
本実施形態の点灯装置８は、上述のように、固体発光素子（発光ダイオード）を有する複数の光源ユニット１を点灯する点灯装置である。本実施形態の点灯装置８は、外部電源（交流電源ＡＣ）から供給される電力を電力変換して光源ユニット１に各別に給電する複数の電源ユニット４と、光源ユニット１に供給される電力を調整するように電源ユニット４を制御する制御ユニット６とを備える。複数の電源ユニット４は、スイッチング電源回路（バックコンバータ４０）と、スイッチング電源回路の動作を制御する制御回路４１と、制御回路４１の動作用の電源を生成する制御電源回路（第１制御電源回路４２）とをそれぞれ有する。制御ユニット６は、制御部６０を有する。制御部６０は、スイッチング電源回路の出力レベルを指示する制御信号を生成し、生成した前記制御信号を、複数の電源ユニット４の制御回路４１に共通に与える。制御ユニット６は、何れか１つの電源ユニット４Ａの制御電源回路（第１制御電源回路４２）で生成される電源（第１制御電源電圧Ｖcc）で制御部６０を動作させるように構成される。複数の電源ユニット４の制御回路４１は、スイッチング電源回路（バックコンバータ４０）の動作を制御して、スイッチング電源回路（バックコンバータ４０）の出力電力を、制御信号で指示される出力レベルに対応した値に一致させるように構成される。
【００４６】
本実施形態の点灯装置８は上述のように構成されるので、複数の光源ユニット１の制御タイミングのばらつきを抑制することができる。
【００４７】
ところで、ＰＦＣ回路４４の平滑コンデンサＣ１に用いられる電解コンデンサは、静電容量が大きい程、許容誤差も大きく（例えば、±２０％）なる。そして、交流電源ＡＣの投入時点からＰＦＣ回路４４の出力電圧が安定するまでに要する時間は、平滑コンデンサＣ１の静電容量の影響が大きいため、個々の電源ユニット４毎にばらついてしまう。各電源ユニット４毎の前記時間のばらつきが大きくなると、それぞれの電源ユニット４で点灯させられる各光源ユニット１の点灯タイミングのばらつきも大きくなってしまう虞がある。
【００４８】
そこで、本実施形態の点灯装置８では、各電源ユニット４毎の準備期間のうちで最長の準備期間（のデータ）を、制御ユニット６の制御部６０が予めメモリに格納しておくことが好ましい。
【００４９】
次に、本実施形態の点灯装置８の動作について、図７Ａ〜図７Ｃのタイムチャートを参照して詳細に説明する。以下の説明において、第１電源ユニット４Ａの準備期間Ｔ１よりも、他方の電源ユニット４（以下、第２電源ユニット４Ｂと呼ぶ。）の準備期間Ｔ２の方が長い（Ｔ１＜Ｔ２）と仮定する。図７Ａは、第１電源ユニット４Ａの制御回路４１がバックコンバータ４０の出力レベルを増減するときのタイムチャートを示し、図７Ｂは、第２電源ユニット４Ｂの制御回路４１がバックコンバータ４０の出力レベルを増減するときのタイムチャートを示す。図７Ｃは、制御ユニット６の制御部６０が制御信号を生成するときのタイムチャートを示す。ただし、図７Ａ及び図７Ｂの縦軸は出力レベル（定格出力を１００％としたときの割合）を示し、図７Ｃの縦軸は制御信号のデューティ比を示す。また、図７Ａ〜図７Ｃの横軸は時刻ｔを示す。
【００５０】
時刻ｔ＝ｔ０に交流電源ＡＣが投入されると、各電源ユニット４Ａ、４Ｂの第１制御電源回路４２が動作を開始する。第１制御電源回路４２は、時刻ｔ＝ｔ１以降、第１制御電源電圧Ｖccを供給することができる。第１制御電源電圧Ｖccが供給され始めると、各電源ユニット４Ａ、４Ｂにおいて、ＰＦＣ回路４４、制御回路４１及び制御ユニット６が動作を開始する。制御ユニット６の制御部６０は、時刻ｔ＝ｔ１からの経過時間をカウント（計時）し、且つデューティ比を１００％としたＰＷＭ信号（制御信号）を生成して制御信号出力部６２から各電源ユニット４Ａ、４Ｂへ出力させる。
【００５１】
一方、各電源ユニット４Ａ、４Ｂの制御回路４１は、時刻ｔ＝ｔ１になると、準備期間Ｔ１、Ｔ２に相当する時間のカウントダウン（限時）を開始する。ただし、「準備期間Ｔ１、Ｔ２に相当する時間」とは、準備期間Ｔ１、Ｔ２から第１制御電源回路４２の動作が安定するまでの時間ｔ０〜ｔ１を引いた時間を意味する。また、各電源ユニット４Ａ、４Ｂの制御回路４１は、準備期間Ｔ１、Ｔ２に相当する時間をカウントダウンしている間、制御ユニット６から伝送される制御信号を受け付けず、且つバックコンバータ４０を動作させない。故に、光源ユニット１は消灯したままとなる。
【００５２】
制御部６０は、前記経過時間が準備期間Ｔ２に相当する時間に達すると（時刻ｔ＝ｔ３）、デューティ比を１５％としたＰＷＭ信号（制御信号）を生成して電源ユニット４Ａ、４Ｂに出力する。ただし、このときのデューティ比の値は、初期照度補正特性に応じて、制御部６０により決定される。
【００５３】
電源ユニット４Ａ、４Ｂの制御回路４１は、準備期間Ｔ２に相当する時間のカウントダウンが終了すると（時刻ｔ＝ｔ３）、信号変換回路４９で変換された電圧信号（制御信号）の信号レベルから、指示されている出力レベル（調光レベル）を判断する。つまり、制御回路４１は、デューティ比が１５％であるから、出力レベル（調光レベル）を８０％と判断し、負荷電流Ｉ１の大きさが定格値の８０％となるようにバックコンバータ４０を制御する。ただし、制御ユニット６の制御部６０は、時刻ｔ＝ｔ３から時刻ｔ＝ｔ４までの間、デューティ比を１００％から１５％まで一定の割合（例えば、１０％毎秒）で減少させたデューティ比のＰＷＭ信号を生成することが好ましい。これにより、各電源ユニット４の制御回路４１は、図７Ａ、図７Ｂに示すように、出力レベルをゼロから８０％まで一定の割合（例えば、１０％毎秒）で増大させるようにバックコンバータ４０を制御することが好ましい。このように複数の光源ユニット１の光量が徐々に増大すれば、照明空間に居る人に、より違和感を感じさせ難くすることができる。
【００５４】
ここで、第１電源ユニット４Ａに制御ユニット６から制御信号が出力されない場合を考える。この場合、第１電源ユニット４Ａの制御回路４１は、時刻ｔ＝ｔ２の時点、すなわち、時刻ｔ＝ｔ０からの経過時間が第１電源ユニット４Ａの準備期間Ｔ１に達した時点で、バックコンバータ４０を動作させて光源ユニット１を定格点灯させてしまう。
【００５５】
しかしながら、本実施形態の点灯装置８では、第１電源ユニット４Ａの制御回路４１は、時刻ｔ＝ｔ２からｔ＝ｔ３までの間、制御信号によって出力レベルをゼロとするように指示される。そのため、第１電源ユニット４Ａに電気的に接続されている光源ユニット１も、時刻ｔ＝ｔ３に達するまで消灯状態に維持される。
【００５６】
したがって、準備期間の異なる複数の電源ユニット４Ａ、４Ｂが混在している点灯装置８であっても、交流電源ＡＣの投入時点から所定時間（準備期間Ｔ２）が経過した時点で全ての光源ユニット１を一斉に点灯させることができる。つまり、本実施形態の点灯装置８は、複数の光源（光源ユニット１）の点灯タイミングのばらつきを抑制することができる。
【００５７】
上述のように本実施形態の点灯装置８において、制御部６０は、外部電源の投入時において、所定の待機時間（準備期間）が経過するまでの間は、ゼロまたはゼロに近い値の前記出力レベルを指示する前記制御信号を生成するように構成されることが好ましい。また、制御部６０は、前記制御信号を複数の電源ユニット４に共通に与えるように構成されることが好ましい。さらに、制御部６０は、前記待機時間の経過後に、ゼロではない所定の前記出力レベルを指示する前記制御信号を生成して複数の電源ユニット４に共通に与えるように構成されることが好ましい。前記待機時間は、複数の電源ユニット４の起動に要する時間（準備期間Ｔ１、Ｔ２）の最大値以上の時間に設定されることが好ましい。
【００５８】
本実施形態の点灯装置８が上述のように構成されれば、複数の電源ユニット４の出力の立ち上がりのばらつきを緩和し、複数の光源ユニット１の点灯タイミングのばらつきを抑制することができる。
【００５９】
ところで、第１制御電源回路４２は、ＰＦＣ回路４４の出力電圧（直流入力電圧Ｖｄｃ）から第１制御電源電圧Ｖccを生成している。そのため、交流電源ＡＣが遮断されても、平滑コンデンサＣ１の充電電荷が放電されて直流入力電圧Ｖｄｃが動作可能な下限値を下回るまでは、第１制御電源回路４２は動作し続ける。そして、第１制御電源回路４２が動作し続けている状況で交流電源ＡＣの給電が再開された場合、制御ユニット６の制御部６０は、電源リセットされないため、交流電源ＡＣの投入時に本来の機能（例えば、フェードイン機能）が実現できない。そのため、個々の電源ユニット４の制御回路４１が、それぞれ第１制御動作と第２制御動作を順次再開するので、複数の光源ユニット１の点灯タイミングのばらつきを抑えることができない。
【００６０】
そこで、第１電源ユニット４Ａの制御回路４１は、交流電源ＡＣの電力供給が停止したことを検知すると、第１制御電源回路４２から制御ユニット６への電源供給を停止するように構成されることが好ましい。例えば、制御回路４１は、ＰＦＣ回路４４のスイッチング素子Ｑ１１、Ｑ１２の電流を監視しており、当該電流が流れなくなることを検知したときに交流電源ＡＣの電力供給が停止したと判断することが好ましい（図３参照）。また、制御回路４１は、例えば、第１制御電源回路４２から制御ユニット６（の電源部６３）への給電路に挿入されるリレー（電磁リレーあるいは半導体リレー）をオフすることで第１制御電源回路４２から制御ユニット６への電源供給を停止することが好ましい。
【００６１】
本実施形態の点灯装置８において、制御回路４１は、外部電源（交流電源ＡＣ）の電力供給が停止したことを検知すると、制御電源回路（第１制御電源回路４２）から制御ユニット６の制御部６０への電源供給を停止するように構成されることが好ましい。
【００６２】
本実施形態の点灯装置８が上述のように構成されれば、交流電源ＡＣの電力供給が停止した場合に制御ユニット６の制御部６０が必ず電源リセットされるので、制御部６０が誤った制御を行う可能性を低下させることができる。
【００６３】
次に、点灯装置８の構造、並びに本発明に係る照明器具の実施形態について、図８〜図１２を参照して詳細に説明する。なお、本実施形態では、照明器具として投光器を例示するが、本発明の技術思想が適用可能な照明器具は投光器に限定されず、例えば、高天井用の照明器具や道路灯などでも構わない。
【００６４】
本実施形態の照明器具は、図８及び図９に示すように、複数（図示例では４つ）の光源ユニット１と、点灯装置８とを備える。さらに、本実施形態の照明器具は、複数の光源ユニット１を連結する連結部材と、アーム１６とを備えることが好ましい。ただし、照明器具を構成する光源ユニット１の数は４つに限定されず、１〜３つ、あるいは５つ以上でも構わない。なお、以下の説明において、特に断りの無い限り、図８において上下、左右、前後の各方向を規定し、紙面の手前側を前とする。
【００６５】
光源ユニット１は、図９に示すように、光源に相当するＬＥＤモジュールと、放熱部材３とを有する。ＬＥＤモジュールは、複数個の発光ダイオード（ＬＥＤ）と、実装基板とを有することが好ましい。ＬＥＤは、例えば、従来周知であるパッケージ型の白色ＬＥＤである。実装基板は、矩形平板状のアルミ基板で構成されることが好ましい。ＬＥＤは、実装基板の前面に、縦横に並べて実装される。また、実装基板の前面にレセプタクルコネクタが実装される。レセプタクルコネクタは、実装基板の前面に形成される配線用の導体を介して、各ＬＥＤの電極（カソード及びアノード）と電気的に接続される。
【００６６】
放熱部材３は、図９に示すように、ベース部３０、一対の縁部３１、複数の放熱板３２で構成されることが好ましい。なお、ベース部３０、縁部３１並びに放熱板３２は、例えば、アルミニウム合金などの熱伝導性に優れた材料で形成されることが好ましい。ベース部３０は、矩形平板状に形成される。ベース部３０の前面にＬＥＤモジュールが固定される。また、ベース部３０の前面には、ＬＥＤモジュールを覆い隠すようにカバー７が取り付けられる（図８参照）。カバー７は、ポリカーボネート樹脂などの透光性を有する合成樹脂材料により、扁平な矩形の箱状に形成される。一対の縁部３１は、上下方向を長手方向とする直方体状であって、ベース部３０の左端縁と右端縁においてベース部３０と一体に形成される。なお、縁部３１の厚み（前後方向の幅）は、ベース部３０の厚みよりも十分に大きく形成されている。
【００６７】
連結部材は、図８及び図９に示すように、第１連結部材１０、第２連結部材１１、第３連結部材１２並びに補助連結部材を含むことが好ましい。
【００６８】
第１連結部材１０は、帯状の主片１００と、主片１００の長手方向に沿って主片１００の厚み方向に突出する補助片１０１とを有する。なお、主片１００と補助片１０１とは、ステンレス鋼板などの金属板が長手方向に沿って折り曲げられることで一体に形成される。
【００６９】
また、第１連結部材１０は、主片１００の長手方向における両端及び中央に、それぞれ突片１０２、１０３が設けられている。ただし、中央の突片１０３は、両端の突片１０２のほぼ２倍の長さ寸法を有している。また、中央の突片１０３の先端が、外向きに折り曲げられている。各突片１０２、１０３には、それぞれ１つ又は２つのねじ挿通孔が設けられる（図８及び図９参照）。
【００７０】
第１連結部材１０は、図９に示すように、各突片１０２、１０３が、放熱部材３の縁部３１にねじ止めされることで２つの光源ユニット１に取り付けられる。すなわち、各突片１０２、１０３のねじ挿通孔に挿通されるねじ１０４が縁部３１のねじ孔にねじ込まれる。
【００７１】
第２連結部材１１は、帯状の金属板（例えば、ステンレス鋼板など）で構成される。ただし、第２連結部材１１の中央部１１０は、両側の端部１１１に対して厚み方向に突出している。中央部１１０には、３つのねじ挿通孔が設けられる。一方、各端部１１１には、２つのねじ挿通孔がそれぞれ設けられる（図９参照）。
【００７２】
第２連結部材１１は、放熱部材３の縁部３１にねじ止めされることで２つの光源ユニット１に取り付けられる。すなわち、中央部１１０及び各端部１１１のねじ挿通孔に挿通されるねじ１１２が縁部３１のねじ孔にねじ込まれる。
【００７３】
第３連結部材１２は、帯状の金属板（例えば、ステンレス鋼板など）で構成される。ただし、第３連結部材１２は、長手方向に沿った両端部が厚み方向に折り曲げられることで補強されている。また、第３連結部材１２は、長手方向の両端にそれぞれ２つのねじ挿通孔が設けられている。これらのねじ挿通孔は、第３連結部材１２の短手方向に並ぶように設けられる。第３連結部材１２は、放熱部材３の縁部３１にねじ止めされることで４つの光源ユニット１に取り付けられる（図８参照）。
【００７４】
補助連結部材は、図８及び図９に示すように、一対のアーム取付部材１３と、一対の補強部材１４とで構成される。アーム取付部材１３は、角樋状の固定部１３０と、一対の取付部１３１と、軸受け部１３２とを有する。なお、固定部１３０と取付部１３１と軸受け部１３２とは、例えば、アルミダイカストによって一体に形成されることが好ましい。
【００７５】
一対の取付部１３１は、長尺の円錐台形状に形成され、固定部１３０から後方に突出する。なお、各取付部１３１の先端部には、雌ねじが形成されている。
【００７６】
軸受け部１３２は、円筒形状に形成され、一対の取付部１３１の間に配置されて各取付部１３１並びに固定部１３０と繋がっている。軸受け部１３２の中心には、ねじ孔が設けられる。
【００７７】
補強部材１４は、図９に示すように、帯状の金属板（例えば、ステンレス鋼板など）で構成される。ただし、補強部材１４は、長手方向に沿った両端部が厚み方向に折り曲げられることで補強されている。一対の補強部材１４は、上下方向に並ぶように、左右両側のアーム取付部材１３の取付部１３１に取り付けられる。すなわち、補強部材１４の両端に設けられるねじ挿通孔にボルト１４０が挿通され、そのボルト１４０が取付部１３１の先端部の雌ねじにねじ込まれてねじ止めされる（図９参照）。
【００７８】
アーム１６は、図９に示すように、固定板１６０と、固定板１６０の左右両端から斜め上向きに立ち上がる一対の立ち上げ片１６１と、各立ち上げ片１６１の先端から斜め上向きに立ち上がる支持片１６２とが金属板によって一体に形成されている。
【００７９】
固定板１６０は、略中心に円形の固定孔１６０１が貫通し、固定孔１６０１よりも後方に、固定孔１６０１を中心とする半円弧状の長孔１６００が貫通している（図９参照）。そして、固定孔１６０１に挿通されるボルトと、長孔１６００に挿通されるボルトとで固定板１６０が照明台（コンクリート製の土台）などに固定される。また、長孔１６００に挿通されるボルトを緩めることにより、アーム１６の向き（光源ユニット１の向き）を略１８０度の範囲で変更することができる。
【００８０】
各支持片１６２は、先端部に円形の挿通孔が貫通している。故に、挿通孔に挿通したボルト１６３が、アーム取付部材１３の軸受け部１３２のねじ孔にねじ込まれることにより、連結部材で連結された４つの光源ユニット１をアーム１６で回転可能に支持することができる。
【００８１】
ところで、下側の補強部材１４には、配線ボックス１５がねじ止めによって取り付けられる（図９参照）。
【００８２】
配線ボックス１５は、金属材料によって矩形箱状に形成される。配線ボックス１５内には、中継用の端子台が収納される。この端子台は、電力系統から交流電力を供給するための電源ケーブルと、点灯装置８に前記交流電力を供給するための電源ケーブル９とを電気的に接続するように構成される。
【００８３】
点灯装置８は、図１０Ａ及び図１０Ｂに示すように、２つの電源ユニット４Ａ、４Ｂを内部に収納するケース８１を備える。ただし、以下の点灯装置８に関する説明においては、図１１において、上下、左右、前後の各方向を規定する。
【００８４】
各電源ユニット４Ａ、４Ｂは、図１０Ｂ、図１１及び図１２に示すように、プリント配線板８００の表面に、ＰＦＣ回路４４やバックコンバータ４０、制御回路４１などの各回路を構成する多数の回路素子（回路部品）８０１が実装されて構成される。また、各電源ユニット４Ａ、４Ｂは、先端にプラグコネクタが設けられた出力ケーブルを有することが好ましい。これらの出力ケーブルは、ケース８１の外に引き出され、光源ユニット１のレセプタクルコネクタと直接、若しくは別の電線ケーブルを介して、電気的に接続されることが好ましい。ただし、各電源ユニット４Ａ、４Ｂにおいて、第１制御電源回路４２を構成する回路素子（例えば、スイッチング電源用の半導体スイッチング素子など）８０１Ｂは、プリント配線板８００の裏面に実装されることが好ましい（図１０Ｂ参照）。
【００８５】
さらに、各電源ユニット４Ａ、４Ｂは、プリント配線板８００の片面における端部から立ち上がる壁部８０２を有する。壁部８０２は、熱の良導体である材料（例えば、アルミ若しくはアルミ合金）によって矩形平板状に形成される。また、壁部８０２は、長手方向に沿った一方の端縁における前端及び後端から突出する一対のＬ字形状の脚８０２０を備えることが好ましい（図１０Ｂ参照）。壁部８０２は、これら一対の脚８０２０がプリント配線板８００の表面（回路素子８０１が実装されている面）に取り付けられることにより、前記表面の法線方向（上下方向）に沿って起立するように設けられることが好ましい。また、壁部８０２は、厚み方向に貫通する複数のねじ孔８０２１が長手方向に並ぶように設けられることが好ましい（図１１参照）。さらに、壁部８０２は、プリント配線板８００の表面に実装される回路素子８０１のうち、全波整流器４６やスイッチング素子Ｑ１１、Ｑ１２、Ｑ２１、Ｑ２２などに用いられる半導体素子（例えば、パワーＭＯＳＦＥＴなど）８０１Ａと熱的に結合される。なお、これらの半導体素子８０１Ａは、通常、放熱器（放熱板）を有している。そして、放熱器に設けられるねじ挿通孔に挿通されるねじ８０３が、壁部８０２に設けられるねじ孔８０２２にねじ込まれることにより、半導体素子８０１Ａと壁部８０２が熱的に結合される（図１０Ｂ及び図１１参照）。
【００８６】
ケース８１は、ケース本体８２と、２つの蓋部８３、８４とを有することが好ましい（図９参照）。ケース本体８２は、例えば、アルミ又はアルミ合金が押出成形されることにより、軸方向の両端が開口した角筒状に形成されることが好ましい。また、ケース本体８２は、左側の側壁８２０の上部と下部の内側面にそれぞれ溝部８５が形成されることが好ましい。さらに、ケース本体８２は、右側の側壁８２１の上部と下部の内側面にもそれぞれ溝部８５が形成されることが好ましい（図１０Ｂ及び図１１参照）。これらの溝部８５は、ケース本体８２の一方の開口端から他方の開口端まで真っ直ぐ且つ互いに平行となるように構成されることが好ましい。なお、溝部８５の幅は、プリント配線板８００の厚みよりも僅かに大きい程度の寸法であればよい。
【００８７】
また、ケース本体８２の下側の側壁８２３の後端部には、４つのケーブル挿通孔が貫通している。これら４つのケーブル挿通孔には、それぞれ出力ケーブルが挿通され、止め金具によって出力ケーブルが側壁８２３に固定される。
【００８８】
蓋部８３、８４は、例えば、アルミダイカストによって平板状に形成されることが好ましい。これら２つの蓋部８３、８４は、ケース本体８２の軸方向の端部にそれぞれねじ止めされることにより、ケース本体８２の両端の開口を閉塞するように構成されることが好ましい（図９参照）。ただし、各蓋部８３、８４とケース本体８２の端部との間に防水パッキンが挟み込まれ、ケース本体８２内への雨水の浸入が防止されることが好ましい。また、片方（前方）の蓋部８４は、中央にケーブル挿通孔が貫通している。そして、このケーブル挿通孔に電源ケーブル９が挿通され、止め金具によって電源ケーブル９が蓋部８４に固定される。
【００８９】
点灯装置８は、図９に示すように、ケース本体８２の側壁８２３が、一対の補強部材１４にねじ止めされることが好ましい。このとき、点灯装置８は、電源ケーブル９が固定されている方の蓋部８４を下、もう一方の蓋部８３を上とする姿勢で補強部材１４に固定されることが好ましい。
【００９０】
次に、本実施形態の点灯装置８の組立作業について、説明する。まず、作業者は、側壁８２３の４つのケーブル挿通孔にそれぞれ出力ケーブルを挿通し、２つの電源ユニット４Ａ、４Ｂの出力端子に、それぞれ２本ずつの出力ケーブルを電気的に接続する。なお、出力端子と出力ケーブルとの電気的な接続は、コネクタを用いた接続方式が好ましい。ただし、コネクタを用いた接続方式以外にも、端子台を用いた接続方式やはんだ付けによる接続方式でも構わない。
【００９１】
続いて、作業者は、一方の電源ユニット４Ａ、４Ｂのプリント配線板８００の両端部を、ケース本体８２の片側の開口から、左右両側の側壁８２０、８２１の下側の溝部８５に挿入する（図１１参照）。同様に、作業者は、他方の電源ユニット４Ａ、４Ｂのプリント配線板８００の両端部を、ケース本体８２の片側の開口から、左右両側の側壁８２０、８２１の上側の溝部８５に挿入する。このとき、一方の電源ユニット４Ａ、４Ｂの壁部８０２が右側の側壁８２１に近接し、他方の電源ユニット４Ａ、４Ｂの壁部８０２が左側の側壁８２０に近接する。なお、第１電源ユニット４Ａがケース本体８２内の上側に配置され、第２電源ユニット４Ｂがケース本体８２内の下側に配置されることが好ましい。
【００９２】
作業者は、ケース本体８２の外から、左右両側の側壁８２０、８２１に設けられる複数の貫通孔にそれぞれねじ８８を挿通し、これらのねじ８８を壁部８０２のねじ孔８０２１にねじ込む。つまり、本実施形態の点灯装置８では、各電源ユニット４Ａ、４Ｂの壁部８０２がケース本体８２の側壁８２０、８２１にねじ止めされて機械的且つ熱的に結合される（図１０Ｂ及び図１２参照）。
【００９３】
続いて、作業者は、制御ユニット６をケース本体８２内に収容し、下側の側壁８２３にねじ止めする。また、作業者は、制御ユニット６の制御信号出力部６２と２つの電源ユニット４Ａ、４Ｂの信号変換回路４９とをそれぞれ電線で電気的に接続する。さらに、作業者は、第１電源ユニット４Ａの第１制御電源回路４２の出力端と、制御ユニット６の電源部６３とを電線で電気的に接続する。
【００９４】
続いて、作業者は、蓋部８４のケーブル挿通孔に挿通した電源ケーブル９を、各電源ユニット４Ａ、４Ｂの入力端子にそれぞれ電気的に接続する。それから、作業者は、２つの蓋部８３、８４をケース本体８２の前端及び後端にねじ止めする。最後に、作業者は、止め金具を側壁８２３にねじ止めして出力ケーブルをケース本体８２に固定するとともに、止め金具を蓋部８４にねじ止めして電源ケーブル９をケース本体８２に固定する。このようにして、点灯装置８の組立作業が完了する。
【００９５】
本実施形態の点灯装置８は、上述のように、プリント配線板８００の端部を、ケース本体８２に設けられる溝部８５に挿入することでケース本体８２に電源ユニット４Ａ、４Ｂを支持させている。さらに、本実施形態の点灯装置８は、電源ユニット４Ａ、４Ｂの特定の回路素子（半導体素子８０１Ａ）を、壁部８０２を介してケース本体８２に熱的に結合させている。そのため、半導体素子８０１Ａに生じる熱は、壁部８０２を介してケース本体８２に伝わり、ケース本体８２を通して放熱される。故に、本実施形態の点灯装置８は、電源ユニット４Ａ、４Ｂを収納する筐体が不要になることで小型化及び軽量化を図ることができ、且つ壁部８０２を介して半導体素子８０１Ａの熱をケース本体８２に伝えることで放熱性の向上を図ることができる。
【００９６】
また、本実施形態のように、点灯装置８が２つの電源ユニット４Ａ、４Ｂを有する場合、それぞれの電源ユニット４Ａ、４Ｂの壁部８０２が、ケース本体８２の複数の側壁８２０〜８２３のうちで異なる２つの側壁８２０、８２１と熱的に結合されることが好ましい。つまり、本実施形態の点灯装置８は、２つの電源ユニット４Ａ、４Ｂの壁部８０２が同一の側壁（例えば、側壁８２０）と熱的に結合される場合と比較して、半導体素子８０１Ａの熱をケース本体８２から効率的に放熱させることができる。
【００９７】
さらに、本実施形態の点灯装置８において、制御ユニット６は、２つの電源ユニット４Ａ、４Ｂのうちで、光源ユニット１（の放熱部材３）との距離が大きい方の第１電源ユニット４Ａから給電されることが好ましい（図１０Ｂ参照）。つまり、光源ユニット１（の放熱部材３）との距離が近い程、光源ユニット１（の放熱部材３）から放射される熱の影響を受け易い。したがって、光源ユニット１（の放熱部材３）との距離が大きい方の第１電源ユニット４Ａから制御ユニット６へ給電することにより、第１制御電源回路４２が光源ユニット１からの熱の影響を受け難くなり、第１制御電源回路４２の熱的な余裕度を確保することができる。
【００９８】
上述のように本実施形態の点灯装置８において、複数の電源ユニット４Ａ、４Ｂは、光源ユニット１との距離がそれぞれ異なるように構成されることが好ましい。制御部６０は、前記距離が最も大きい電源ユニット４Ａの制御電源回路（第１制御電源回路４２）から動作用の電源が供給されるように構成されることが好ましい。
【００９９】
本実施形態の点灯装置８が上述のように構成されれば、制御電源回路（第１制御電源回路４２）が光源ユニット１の熱の影響を受け難くすることができる。
【０１００】
ここで、電源ユニット４においては、バックコンバータ４０を構成する回路素子８０１、８０１Ａがプリント配線板８００の表面に実装され、第１制御電源回路４２を構成する回路素子８０１Ｂがプリント配線板８００の裏面に実装されることが好ましい。つまり、プリント配線板８００を構成する絶縁基板（ガラス布基材エポキシ樹脂基板など）により、回路素子８０１で発生する熱が、第１制御電源回路４２を構成する回路素子８０１Ｂに伝わり難くなる。
【０１０１】
上述のように本実施形態の点灯装置８において、制御電源回路（第１制御電源回路４２）は、スイッチング電源（バックコンバータ又はフライバックコンバータ）を構成する半導体スイッチング素子を有することが好ましい。電源ユニット４は、スイッチング電源回路（バックコンバータ４０）で発生する熱を、前記半導体スイッチング素子に伝導され難くする断熱部（プリント配線板８００）を備えることが好ましい。
【０１０２】
本実施形態の点灯装置８が上述のように構成されれば、制御電源回路（第１制御電源回路４２）がスイッチング電源回路（バックコンバータ４０）の熱の影響を受け難くすることができる。
【０１０３】
ところで、本実施形態の照明器具が照明台に設置される場合、金属製のワイヤ１７の両端がそれぞれ第２連結部材１１の中央部１１０にねじ止めされることが好ましい（図９参照）。さらに、ワイヤ１７は、照明台に固定されるワイヤ受け１８に支持されることが好ましい（図９参照）。つまり、アーム１６が照明台から外れた場合、ワイヤ１７が支持することで照明器具の落下が防止される。
【０１０４】
上述のように本実施形態の照明器具は、点灯装置８と、点灯装置８によって点灯される複数の光源ユニット１とを有する。
【０１０５】
本実施形態の照明器具によれば、複数の光源ユニット１の制御タイミングのばらつきを抑制することができる。
【０１０６】
本実施形態の照明器具において、複数の光源ユニット１並びに点灯装置８を変位可能に支持する支持部材（アーム１６）を有することが好ましい。
【０１０７】
本実施形態の照明器具が上述のように構成されれば、光源ユニット１の光の照射方向を変更することができて使い勝手の向上を図ることができる。
【０１０８】
また、本実施形態の照明器具において、光源ユニット１は、固体発光素子として発光ダイオード又は有機エレクトロルミネセンス素子を有することが好ましい。
【符号の説明】
【０１０９】
１  光源ユニット
４  電源ユニット
６  制御ユニット
８  点灯装置
１６  アーム（支持部材）
４０  バックコンバータ（スイッチング電源回路）
４１  制御回路
４２  第１制御電源回路（制御電源回路）
６０  制御部
８００  プリント配線板（断熱部）
【図１】
0006399450.tif 000002
【図２】
0006399450.tif 000003
【図３】
0006399450.tif 000004
【図４】
0006399450.tif 000005
【図５】
0006399450.tif 000006
【図６】
0006399450.tif 000007
【図７】
0006399450.tif 000008
【図８】
0006399450.tif 000009
【図９】
0006399450.tif 000010
【図１０】
0006399450.tif 000011
【図１１】
0006399450.tif 000012
【図１２】
0006399450.tif 000013